(57)【要約】【課題】本考案は、運搬時や展示時において他からの衝撃の緩和手段とすることはもとより、展示のための製品の安定的な立設手段とし、更に、外囲体となる緩衝・断熱部材は、製品に対して断熱機能を有し、且つ製品の宣伝・広告・絵・模様・説明機能等を消費者に対して有効的に可視させることを可能とした展示機能を備えた緩衝・断熱収納部材を提供するものである。【解決手段】肉厚のある断熱材により有底筒状体に形成し、上端部側を所定の傾斜角を有する傾斜部とし、該傾斜部の露出面及び必要により筒状体の外囲体を宣伝・広告及び絵・模様等の表示手段としてなることを特徴とする展示機能を備えた緩衝・断熱収納部材。【選択図】図１
0003136206.tif 000002
【実用新案登録請求の範囲】
【請求項１】
肉厚のある断熱材により有底筒状体に形成し、上端部側を所定の傾斜角を有する傾斜部とし、該傾斜部の露出面及び必要により筒状体の外囲体を宣伝・広告及び絵・模様等の表示手段としてなることを特徴とする展示機能を備えた緩衝・断熱収納部材。
【請求項２】
傾斜部側の宣伝・広告及び絵・模様等の表示手段を、該傾斜部と同一形状の別部材となる端部片としたことを特徴とする請求項１記載の展示機能を備えた緩衝・断熱収納部材。
【請求項３】
緩衝・断熱収納部材の筒状となる外囲体及び傾斜部の外形形状とほぼ同一形状で、該傾斜部を上端部側の係止手段とし、下端部を開口部とした内側が空洞部となる被覆体とし、該被覆体を宣伝・広告及び絵・模様等の表示手段としたことを特徴とする請求項１記載の展示機能を備えた緩衝・断熱収納部材。
【考案の詳細な説明】
【技術分野】
【０００１】
本考案は、お酒、焼酎、ワイン等のアルコール類や清涼飲料水等の流体を収納する容器或いは花や草木を飾る容器のように、ガラス製や陶器製等の衝撃に弱い材料からなる収納容器を外からの衝撃を防ぐとともに内容物となる流体の保温性を保ち、且つそれら容器を立設状態で有効的に宣伝・広告展示することを可能とする展示機能を備えた緩衝・断熱収納部材に関するものである。
【背景技術】
【０００２】
従来より、衝撃に弱い製品を梱包して運搬する手段として、梱包材料と該製品との間に外からの衝撃に対して衝撃を吸収する弾力性に富んだ緩衝部材を配設して当該製品が破壊されることを防止している。
【０００３】
また、アルコール類の容器や花瓶類等の製品を店頭等において展示する際、それら製品を立設した状態で行うことが多いが、製品相互の緩衝手段は考えられていなかった。
【０００４】
更に、容器内に収納された流体温度の急激な変化の防止対策としては所定空間全体を冷暖房する手段のみに頼っており、簡単な手段により保温状態を保つように工夫したものはなかった。
【０００５】
また、それら製品の宣伝・広告及び絵・模様等の表示手段は、当該製品に直接ラベルとして貼着したものに施されており、他方、別の手段として当該表示手段をひも状のものを製品の上方部のネック部側に引っ掛けてその役割をなすもの等があったが、それらは垂直状態での表示手段となっているため消費者は可視しずらく、また、吊り下げている場合は、必要となる面が裏返しとなっているケースも多く、本来の機能を十分に生かしきれていなかった。
【０００６】
更に、下記する文献のように、酒類や清涼飲料水等を収納した容器の保冷性や保温性を向上させ、意匠性にも優れた段ボールや発泡体等の断熱材を素材とし、その表面に表示部を設けた製品を収納するための中空の断熱ケースよりなる多用途ケースが提案されているが、上記断熱材は肉薄としたもので本考案のように外からの衝撃に対して強い緩衝部材としての役割を達成することを意図するものではなかったし、また、容器の垂直方向にのみ表示部を設けたものであり、展示時に消費者がそれら表示部を可視することが困難であることは従来のままであった。
【特許文献１】実用新案登録第３００６３７３号公報
【考案の開示】
【考案が解決しようとする課題】
【０００７】
本考案は、上記欠点を解決したもので、運搬時や展示時の衝撃の緩和手段となることはもとよりのこと、展示のための製品の立設手段となり、更に、当該製品の宣伝・広告及び絵・模様等の表示手段を消費者に対して有効的に可視させることを可能としている。また、緩衝・断熱収納部材は、断熱機能を有しているので収納された製品の内容物の保温効果を長期化させることを可能とした展示機能を備えた緩衝・断熱収納部材を提供するものである。
【課題を解決するための手段】
【０００８】
本考案は、肉厚のある断熱材により有底筒状体に形成し、上端部側を所定の傾斜角を有する傾斜部とし、該傾斜部の露出面及び必要により筒状体の外囲体を宣伝・広告及び絵・模様等の表示手段としてなる展示機能を備えた緩衝・断熱収納部材を特徴とする。
【０００９】
また、傾斜部側の宣伝・広告及び絵・模様等の表示手段を、該傾斜部と同一形状の別部材となる端部片とした緩衝・断熱収納部材を特徴とする。
【００１０】
更に、緩衝・断熱収納部材の筒状となる外囲体及び傾斜部の外形形状とほぼ同一形状で、該傾斜部を上端部側の係止手段とし、下端部を開口部とした内側が空洞部となる被覆体とし、該被覆体を宣伝・広告及び絵・模様等の表示手段とした展示機能を備えた緩衝・断熱収納部材を特徴とする。
【考案の効果】
【００１１】
本考案は、緩衝材により運搬時や展示時に他からの衝撃或いは製品相互の衝撃を緩和し、その衝撃が製品に伝わることを防止することが可能となった。また、容器を囲む厚手の断熱材により収納した製品の流体の温度変化を少なくすることが可能となった。更に、展示時に安定した状態で立設することができ、且つ消費者が可視しやすい位置に宣伝・広告及び絵・模様等の表示手段を施すことが可能となった。また、反覆使用することを容易とした緩衝・断熱収納部材を得ることが可能となった。
【考案を実施するための最良の形態】
【００１２】
以下、図面を参考に本考案を実施するための最良の形態についてその実施例を説明する。
【実施例１】
【００１３】
図１は、本考案の展示機能を備えた緩衝・断熱収納部材の斜視図で、ワインの瓶容器Ａを収納した状態を示している。上記展示機能を備えた緩衝・断熱収納部材１は、断熱材を筒状にした外囲体２とその一端部側の閉塞状態とした底部３及び他端側の開口状態とした傾斜部４とより構成している。
【００１４】
外囲体２は、本実施例では柔軟性のある断熱材で、発泡樹脂材を筒状にしたものや小室を多数形成した厚手の気泡緩衝材を筒状に形成したものが最適である。例えば、厚手プチプチ（登録商標）のような気泡シートを筒状に形成したものである。
【００１５】
平坦状の厚手気泡緩衝材を丸め、両側端部を接着或いは溶着することにより円筒状となる外囲体２に形成することができる。一端側の底部３は、円盤状の厚手気泡緩衝材を該外囲体２の内壁に嵌入して固定することにより一体化して閉塞することができる。また、厚手発泡樹脂材の内側を凹状にくり抜いて形成しても良い。
【００１６】
他端の開口側は、該外囲体２を斜め方向に裁断し、端部表面に鍔状体の楕円形が形成される傾斜部４とする。該傾斜部は、溶断等により適宜角度に切断することによって形成することができる。垂直状態から１５〜６０°程度の傾斜が望ましい。傾斜部の高い側の外囲体２の高さは、少なくとも収納物となる製品の約２／３前後以上とすることにより安定感のある高さの緩衝・断熱収納部材を得ることができる。例えば、１Ｌ瓶で約３５ｃｍ程度の高さの製品の場合、収納部材の高さを２０〜３０ｃｍ程度とする。
【００１７】
図２は、花瓶Ｂ及び該花瓶Ｂ内の生け花を緩衝・断熱収納部材に収納した状態の断面図を示している。収納される花瓶Ｂ内には生け花とともに流体が貯留されており、且つ花瓶Ｂ及び収納部材の底側は平坦状で広面積とされているので安定感を保った状態で立設することができる。
【００１８】
また、外囲体２及び底部３は断熱材で形成されているので、花瓶Ｂ内の流体の温度上昇を極力抑えることが可能で、生け花にとって良好な環境を維持することができる。
【実施例２】
【００１９】
図３は、傾斜部４となる表面に載置或いは固定される端部片５を別途形成した実施例で、傾斜部４と同一大きさとなる楕円形の鍔状体の形状とすることにより該傾斜部４として露出した緩衝・断熱材の切断面を被覆することが可能となる。該端部片５の表面には各種宣伝・広告や製品説明或いは色彩や模様や絵等の適宜表示手段を表現することができる。
【００２０】
該端部片５は、収納される製品のネック部側に引っ掛けた状態で緩衝・断熱収納部材１に物品を収納することだけで傾斜部４上にとどまることになり、その上面に載置されることになる。従って、該端部片５の表裏が逆になるおそれはないし、傾斜状態で載置されることになるので、通常、目線より下方に展示されることの多い本考案の対象となる製品の該傾斜面が可視しやすい状態となる。従って、該傾斜表面に表示された宣伝・広告や各種絵や模様及び文言等を有効的に消費者に訴えることが可能となる。
【００２１】
上記では、収納される製品に引っ掛けることにより、必然的に傾斜部４上に載置されることになることでの構成としたが、その他の例として、該傾斜部４に予め固定しておくことも可能である。反覆使用する場合でも、該気泡樹脂材よりなる緩衝・断熱収納部材１と端部片５とは分離しやすいので他のものと置き換えることは簡単にできる。
【実施例３】
【００２２】
図４は、展示機能を備えた緩衝・断熱収納部材１とその全体の大きさ及び形状をやや大きめの同一形状とし、該緩衝・断熱収納部材１の全体を被覆することを可能とした被覆体６で、高さも該緩衝収納部材１の高さとほぼ同じくし、上端部を該傾斜部４の傾斜面と同一角度とした鍔状の端部面７とし、下端部を開口部８とし、被覆体６の内側は空洞部９としている。
【００２３】
上記空洞部９内に展示機能を備えた緩衝・断熱収納部材１を挿入することにより、その全体を覆うことが可能となる。開口部８側から挿入すると空洞部９側へ突出した鍔状の該端部面７が傾斜部４に当接することになり該被覆体６は安定的に収納部材１の全体を覆うことができる。従って、端部面７のみならず被覆体６の側面全体により緩衝・断熱収納部材１の側面側を覆うことができ、緩衝・断熱部材の素材が隠蔽状態となり、容器としての外観を良好とすると同時に、該被覆体６の表面側の全ての面に各種宣伝・広告や絵・模様や文言等を有効的に表示することが可能である。
【図面の簡単な説明】
【００２４】
【図１】本考案の展示機能を備えた緩衝・断熱収納部材において製品を収納している状態を示す斜視図。
【図２】本考案の展示機能を備えた緩衝・断熱収納部材において花瓶を収納している状態を示す断面図。
【図３】端部片の斜視図。
【図４】被覆体の斜視図。
【符号の説明】
【００２５】
１          展示機能を備えた緩衝・断熱収納部材
２          外囲体
３          底部
４          傾斜部
５          端部片
６          被覆体
７          端部面
８          開口部
９          空洞部
【図１】
0003136206.tif 000003
【図２】
0003136206.tif 000004
【図３】
0003136206.tif 000005
【図４】
0003136206.tif 000006